(57)【特許請求の範囲】
【請求項１】
絶対値が互いに異なる直流正電圧と直流負電圧とを駆動源として作動し、かつ無信号時の出力電圧が前記直流正電圧と前記直流負電圧との中点電圧以外の所定電圧に予め設定されているＳＥＰＰ回路で構成された液晶表示素子のコモン電極の駆動回路用の電流増幅回路であって、
高電圧側増幅素子の制御入力端子が第１の抵抗を介して前記直流正電圧に接続されると共に低電圧側増幅素子の制御入力端子が第２の抵抗を介して前記直流負電圧に接続されて構成される駆動回路を備え、
前記ＳＥＰＰ回路は、前記第１および第２の抵抗の抵抗値が両電源電圧とコモン電極に印加される駆動電圧の中心電圧とから決まる互いに異なる所定の抵抗値に規定されることにより、前記無信号時の出力電圧を前記所定電圧に予め設定することを特徴とする電流増幅回路。
【請求項２】
前記ＳＥＰＰ回路は、Ｃ級動作条件で作動することを特徴とする請求項１に記載の電流増幅回路。
【請求項３】
前記無信号時の出力電圧は所定の正電圧値に設定されていることを特徴とする請求項１または２に記載の電流増幅回路。
【請求項４】
前記駆動回路は、入力信号を電流増幅して前記ＳＥＰＰ回路に出力するコンプリメンタリ型で構成されていることを特徴とする請求項１から３のいずれかに記載の電流増幅回路。
【請求項５】
入力した映像信号に対してその１水平周期毎に極性を反転した映像信号と当該映像信号とは逆極性のコモン電極駆動信号とを生成するＨ反転信号生成回路と、当該Ｈ反転信号生成回路によって生成された前記映像信号に基づいて映像を表示する液晶表示パネルと、請求項１から４のいずれかに記載の電流増幅回路とを備え、当該電流増幅回路は、前記コモン電極駆動信号を増幅して前記液晶表示パネルにおけるコモン電極に供給することを特徴とする液晶表示装置。
【請求項６】
前記無信号時の出力電圧は、前記コモン電極駆動信号の中心電圧に設定されていることを特徴とする請求項５記載の液晶表示装置。
【発明の詳細な説明】
【０００１】
【発明の属する技術分野】
本発明は、液晶表示装置のＨ反転駆動のためにコモン電極に印加するコモン電極駆動信号の増幅などに適用可能な電流増幅回路、およびこの電流増幅回路を使用して構成された液晶表示装置に関するものである。
【０００２】
【従来の技術】
この種の電流増幅回路として、図４に示すＴＦＴ（Thin Film Transistor）方式の液晶表示装置Ｓ１１に用いられるコモン電圧出力回路４１が従来から知られている。この液晶表示装置Ｓ１１は、Ｈ反転信号生成回路２、コモン電圧増幅回路３、上記したコモン電圧出力回路４１およびＴＦＴ方式の液晶表示パネル４を備えて構成されている。この場合、Ｈ反転信号生成回路２は、液晶表示パネル４における液晶素子の劣化防止のために、入力したＲＧＢ映像信号の極性を１Ｈ（１水平周期）毎に反転してＲ’Ｇ’Ｂ’信号に変換すると共に、変換したＲ’Ｇ’Ｂ’信号を液晶表示パネル４に供給する。また、Ｈ反転信号生成回路２は、この１Ｈ反転動作に同期して、Ｒ’Ｇ’Ｂ’信号とは逆極性であってそのデューティ比が１：１の矩形波信号であるコモン信号ＶCOM1を生成してコモン電圧増幅回路３に出力する。コモン電圧増幅回路３は、入力したコモン信号ＶCOM1を液晶表示パネル４の最適表示が得られる振幅まで電圧増幅してコモン電圧出力回路４１にコモン信号ＶCOM2として出力する。コモン電圧出力回路４１は、具体的な構成については後述するが、コモン端子（ｃｏｍ端子）を介して液晶表示パネル４内のコモン電極を駆動できるようにコモン信号ＶCOM2を電流増幅してコモン信号ＶCOM3として出力する。また、コモン電圧出力回路４１は、液晶表示パネル４のフリッカーが最小となるようにコモン信号ＶCOM3の中心電圧を調整するための直流電圧調整機能も有している。また、上記の各回路２，３，４１は、液晶表示パネル４の駆動に必要な正電圧用の電源ＶDDと負電圧用の電源ＶEEを駆動源として作動する。この場合、電源ＶDDの電圧としては、例えば＋７Ｖが、電源ＶEEの電圧としては、例えば−１５Ｖが使用されている。
【０００３】
また、上記したコモン電圧出力回路４１は、一般的には、電流駆動能力の高いＳＥＰＰ（Single Ended Push-Pull）回路が使用されている。具体的には、図５に示すように、コンプリメンタリ型のバッファ回路５１と、同じくコンプリメンタリ型の出力回路（ＳＥＰＰ回路）１２とを備えて構成されている。この場合、増幅回路５１は、ｐｎｐ型のトランジスタ２１、ｎｐｎ型のトランジスタ２２、カップリング用のコンデンサ２３、抵抗２４，２５，５２，５３、および可変抵抗器２８で構成される。また、出力回路１２は、ｎｐｎ型のトランジスタ３１と、ｐｎｐ型トランジスタ３２とで構成されている。
【０００４】
このコモン電圧出力回路４１では、コモン電圧増幅回路３から出力されたコモン信号ＶCOM2をコンデンサ２３を介してバッファ回路５１に入力する。この際に、トランジスタ２１，２２が、ベースに入力したコモン信号ＶCOM2を電流増幅してトランジスタ２１，２２の各エミッタからトランジスタ３１およびトランジスタ３２のベースに供給する。次いで、トランジスタ３１，３２がさらに電流増幅して、共通接続されたエミッタからコモン信号ＶCOM3を出力する。この結果、液晶表示パネル４内のコモン電極を駆動できるようなコモン信号ＶCOM3が生成される。この場合、トランジスタ２１とトランジスタ２２とが互いに異なる接合形式のトランジスタであり、またトランジスタ３１とトランジスタ３２とが互いに異なる接合形式のトランジスタで構成されている。このため、バッファ回路５１の共通入力であるトランジスタ２１，２２のベースにおける直流電圧Ｖａと、出力電圧１２の共通出力であるトランジスタ３１，３２のエミッタにおける直流電圧Ｖｂとが等しく、かつ、コモン信号ＶCOM2の信号振幅が利得０ｄＢで増幅されてコモン信号ＶCOM2と等しい振幅のコモン信号ＶCOM3が生成される。
【０００５】
また、通常状態においては、コモン電圧出力回路４１に入力されるコモン信号ＶCOM2のデューティ比が１：１のため、トランジスタ２１，２２のベースにおける直流電圧Ｖａ、すなわちトランジスタ３１，３２のエミッタにおける直流電圧Ｖｂはコモン信号ＶCOM3の信号振幅の中心と等しく維持されている。一方、トランジスタ３１，３２のエミッタにおける直流電圧Ｖｂが液晶表示パネル４で要求されるコモンセンター電圧と若干相違すると、液晶表示パネル４の表示にフリッカーが生じる。かかる場合には、可変抵抗器２８を調整してトランジスタ２１，２２のベースにおける直流電圧Ｖａを液晶表示パネル４で要求されるコモンセンター電圧に合わせるように調整する。このようにして、トランジスタ３１，３２のエミッタにおける直流電圧Ｖｂ（つまり、トランジスタ２１，２２のベースにおける直流電圧Ｖａ）が液晶表示パネル４で要求されるコモンセンター電圧と等しくなる結果、表示のフリッカーが最小に設定される。
【０００６】
【発明が解決しようとする課題】
ところが、この従来のコモン電圧出力回路４１（電流増幅回路）には、以下の問題点がある。すなわち、従来のコモン電圧出力回路４１では、一般的に、バッファ回路５１の一部を構成する抵抗５２，５３の抵抗値が互いに等しい値に設定されている。この理由としては、例えば、音声出力回路のような一般的なＳＥＰＰ回路では出力直流電圧を０Ｖとすることが望ましく、正負の電源電圧もその絶対値が等しくなるように設定される。このため、コモン電圧出力回路４１における直流電圧調整回路（抵抗２４，２５および可変抵抗器２８）を有しない場合、バッファ回路５１における直流バイアス電圧を決定する要素となる抵抗５２，５３の抵抗値を必然的に等しくすることが望ましいと考えられるからである。しかし、ＴＦＴ方式の液晶表示パネル４で必要とされる正負の電源ＶDD，ＶEEは、その絶対値が互いに等しくなく、例えば正電圧の電源ＶDDが７Ｖで負電圧の電源ＶEEが−１５Ｖというように、両者の電圧値が大きく異なっている。また、液晶表示パネル４は、図６に示すように、そのコモンセンター電圧（つまり直流電圧Ｖａ）が０Ｖよりやや高い程度の電圧の時にフリッカーが最小になる特性を有している。このため、コモン電圧出力回路４１の正負の電源として、液晶表示パネル４で使用される正負の電源ＶDD，ＶEEを使用し、かつ、バッファ回路５１における抵抗５２，５３の抵抗値を等しい値に設定した場合、本来は、バッファ回路５１および出力回路１２を含めたＳＥＰＰ回路としては、図６に示すように、直流電圧調整回路を有しない状態のＳＥＰＰ回路自体における各部位の電圧Ｖａ，Ｖｂが、（ＶDD＋ＶEE）／２の電圧と等しいときに安定する。
【０００７】
ところが、直流電圧調整回路の可変抵抗器２８によってコモン信号ＶCOM3の中心電圧を液晶表示パネル４に要求されるコモンセンター電圧の電圧値Ｖｃと等しい電圧に調整した場合、直流電圧Ｖａの電圧が上昇するため、抵抗５２よりも抵抗５３の方に電流がより多く流れると共にトランジスタ２１よりもトランジスタ２２の方に電流がより多く流れ、かつ、直流電圧Ｖｂが上昇する。このため、トランジスタ３１よりもトランジスタ３２の方に電流がより多く流れることになる。したがって、抵抗５２，５３の抵抗値（Ｒａとする）の設定次第では出力回路１２に期待されるＣ級動作が行われずに、Ｂ級動作からＡ級動作に移行して熱暴走する。このため、従来のコモン電圧出力回路４１には、より多くの電力を消費する側のトランジスタ３２が破壊するおそれがあるという問題点が存在する。
【０００８】
一方、実際には、出力回路１２の動作条件としては、コモン信号ＶCOM3が矩形波信号のため、音声出力回路に用いられるＳＥＰＰ回路で起こり易いクロスオーバー歪の影響を考慮する必要性が存在しない。したがって、Ｃ級動作で十分期待される増幅効果を得ることができるため、抵抗５２，５３の抵抗値Ｒａを大きくすることで熱暴走を避けることが可能である。しかし、トランジスタ２１，２２およびトランジスタ３１，３２の駆動電流条件がアンバランスとなるため、トランジスタ３２と比較してトランジスタ３１がオンしにくい状態となる。このため、両トランジスタ３１，３２から出力されるコモン信号ＶCOM3の出力波形が、図７に示すように、立ち下がり時間ｔｆ１と比較して、立ち上がり時間ｔｒ１が長くなるという上下非対称の波形となる。したがって、コモン信号ＶCOM3の立ち上がり時間ｔｒ１が長くなることに起因して、液晶表示パネル４における画面左端の表示輝度が１ライン毎に低下するおそれがあり、液晶表示パネル４の表示品位が低下するという問題が生じる。また、抵抗５２，５３の抵抗値Ｒａを大きくすることで、上記した出力回路１２の熱暴走を回避することができるものの、ＳＥＰＰ回路を構成する上下のトランジスタ３１，３２の消費電力がアンバランスな状態であることに変わりがない。このため、コモン信号ＶCOM3の中心電圧（直流電圧Ｖｂ）が周囲環境温度の影響でドリフトし易くなるという不都合が生じる。この場合、図８に示すコモン電圧出力回路６１のように、可変抵抗器２８にダイオードＤを直列接続して温度補償することも可能であるが、その分、構成の複雑化およびコストアップという問題が生じる。
【０００９】
本発明は、かかる問題に鑑みてなされたものであり、ＳＥＰＰ回路の熱暴走による破壊を招くことなく安定的な電流増幅動作が可能な電流増幅回路を提供することを主目的とする。また、高い表示品位を有する液晶表示パネルを提供することを他の目的とする。
【００１０】
上記目的を達成すべく請求項１記載の電流増幅回路は、絶対値が互いに異なる直流正電圧と直流負電圧とを駆動源として作動し、かつ無信号時の出力電圧が前記直流正電圧と前記直流負電圧との中点電圧以外の所定電圧に予め設定されているＳＥＰＰ回路で構成された液晶表示素子のコモン電極の駆動回路用の電流増幅回路であって、高電圧側増幅素子の制御入力端子が第１の抵抗を介して前記直流正電圧に接続されると共に低電圧側増幅素子の制御入力端子が第２の抵抗を介して前記直流負電圧に接続されて構成される駆動回路を備え、前記ＳＥＰＰ回路は、前記第１および第２の抵抗の抵抗値が両電源電圧とコモン電極に印加される駆動電圧の中心電圧とから決まる互いに異なる所定の抵抗値に規定されることにより、前記無信号時の出力電圧を前記所定電圧に予め設定することを特徴とする。
【００１１】
請求項２記載の電流増幅回路は、請求項１記載の電流増幅回路において、前記ＳＥＰＰ回路はＣ級動作条件で作動することを特徴とする。
【００１２】
請求項３記載の電流増幅回路は、請求項１または２記載の電流増幅回路において、前記無信号時の出力電圧は所定の正電圧値に設定されていることを特徴とする。
【００１３】
請求項４記載の電流増幅回路は、請求項１から３のいずれかに記載の電流増幅回路において、入力信号を電流増幅して前記ＳＥＰＰ回路に出力するコンプリメンタリ型で構成されていることを特徴とする。
【００１５】
請求項５記載の液晶表示装置は、入力した映像信号に対してその１水平期間毎に極性を反転した映像信号と当該映像信号とは逆極性のコモン電極駆動信号とを生成するＨ反転信号生成回路と、当該Ｈ反転信号生成回路によって生成された前記映像信号に基づいて映像を表示する液晶表示パネルと、請求項１から４のいずれかに記載の電流増幅回路とを備え、当該電流増幅回路は、前記コモン電極駆動信号を増幅して前記液晶表示パネルにおけるコモン電極に供給することを特徴とする。
【００１６】
請求項６記載の液晶表示装置は、請求項５記載の液晶表示装置において、前記無信号時の出力電圧は、前記コモン電極駆動信号の中心電圧に設定されていることを特徴とする。
【００１７】
【発明の実施の形態】
以下、添付図面を参照して、本発明に係る電流増幅回路および液晶表示装置を液晶表示装置Ｓ１に適用した実施の形態について説明する。なお、従来の液晶表示装置Ｓ１１における構成と同一の機能を有する構成要素については同一の符号を付して重複した説明を省略する。
【００１８】
図４に示すように、液晶表示装置Ｓ１は、本発明における電流増幅回路を構成するコモン電圧出力回路１、Ｈ反転信号生成回路２、コモン電圧増幅回路３および液晶表示パネル４を備えて構成されている。
【００１９】
コモン電圧出力回路１は、絶対値が互いに異なる直流正電圧としての電源ＶDDと直流負電圧としての電源ＶEEを駆動源として作動して本発明におけるコモン電極駆動信号に相当するコモン信号ＶCOM2を増幅して液晶表示パネル４内のコモン電極に供給する回路であって、図１に示すように、本発明における駆動回路に相当するバッファ回路１１と、本発明におけるＳＥＰＰ回路に相当する出力回路１２とを備えて構成される。この場合、バッファ回路１１は、トランジスタ２１，２２、コンデンサ２３および抵抗２４〜２７を備えて構成されている。また、出力回路１２は、Ｃ級スイッチング動作が可能なように、ｎｐｎ型のトランジスタ３１とｐｎｐ型のトランジスタ３２とでＳＥＰＰ型出力形式で構成されている。また、出力回路１２は、コモン電圧出力回路１の直流バイアス電圧を決定する要素となる抵抗２６，２７の抵抗値が後述するように規定されていることにより、極めて高効率なＣ級動作条件で作動し、しかも波形歪みの少ないコモン信号ＶCOM3を生成する。
このコモン電圧出力回路１におけるバッファ回路１１では、従来のコモン電圧出力回路４１におけるバッファ回路５１の抵抗５２，５３の抵抗値が互いに等しく規定されていたのに対して、本発明における第１の抵抗に相当する抵抗２６、および本発明における第２の抵抗に相当する抵抗２７の抵抗値が、液晶表示パネル４で使用される電源ＶDD，ＶEEの電圧値や、液晶表示パネル４のコモンセンター電圧の電圧値に応じて互いに異なる抵抗値に規定される。
【００２０】
具体的には、図２に示すように、液晶表示パネル４のフリッカーが最小となるコモンセンター電圧の電圧値をＶｃとした場合、抵抗２６の抵抗値Ｒａおよび抵抗２７の抵抗値Ｒｂは、出力回路１２のトランジスタ３１，３２の無信号時における出力電圧（直流電圧Ｖｂ）が下記の式を満たすように規定される。つまり、出力回路１２は、無信号時の直流電圧Ｖｂが正電源ＶDDと負電源ＶEEとの中点電圧以外の正電圧であるコモンセンター電圧の電圧値Ｖｃ（所定電圧）に予め設定される。
【００２１】
Ｖｂ＝Ｖｃ
より具体的には、抵抗値Ｒａ，Ｒｂは、トランジスタ２１のベース−エミッタ間電圧をＶBE1とし、トランジスタ２２のベース−エミッタ間電圧をＶBE2とした場合、下記の式が成立するように規定される。
【００２２】
Ｖｃ＝{ＶDD−ＶEE−（ＶBE1＋ＶBE2）}×Ｒｂ／（Ｒａ＋Ｒｂ）＋ＶBE2＋ＶEE
また、ＶBE1＝ＶBE2＝ＶBEとすれば、上式は下記の式で表わされる。
【００２３】
Ｖｃ＝（ＶDD−ＶEE−２×ＶBE）×Ｒｂ／（Ｒａ＋Ｒｂ）＋ＶBE＋ＶEE
この場合、抵抗値Ｒａ，Ｒｂは、上記式を満たし、かつ出力回路１２がＣ級動作条件で作動するように、その値が予め設定される。この結果、正電源ＶDDの電圧値と負電源ＶEEの電圧値との絶対値が互いに異なるため、抵抗値Ｒａ，Ｒｂは、その値が互いに相違することになる。なお、抵抗２６，２７およびトランジスタ２１，２２からなるバッファ回路１１のみでも直流電圧Ｖｂをコモンセンター電圧の電圧値Ｖｃに等しくすることは可能ではあるが、素子のバラツキを考慮して、抵抗２４，２５からなるバイアス回路を設けている。ここで、抵抗２４，２５の抵抗値は、正電源ＶDD、負電源ＶEE、および必要なコモンセンター電圧の電圧値Ｖｃの各電圧値からＶａ＝Ｖｃとなることを前提としてコモン電圧増幅回路３の出力インピーダンスを加味して設定される。
【００２４】
このコモン電圧出力回路１では、コモン電圧増幅回路３から出力されたコモン信号ＶCOM2がコンデンサ２３を介してバッファ回路１１に入力される。この際に、トランジスタ２１，２２が、ベースに入力したコモン信号ＶCOM2を電流増幅してそのエミッタからトランジスタ３１，３２のベースに供給する。次いで、トランジスタ３１，３２が電圧利得０ｄＢでさらに電流増幅してエミッタからコモン信号ＶCOM3を出力する。この結果、液晶表示パネル４内のコモン電極を駆動可能なコモン信号ＶCOM3が生成される。この場合、このコモン電圧出力回路１では、トランジスタ２１，２２のベースにおける直流電圧Ｖａと、出力回路１２の共通出力であるトランジスタ３１，３２のエミッタにおける直流電圧Ｖｂとは、液晶表示パネル４のコモンセンター電圧の電圧値Ｖｃと互いに等しい電圧に維持される。この結果、液晶表示パネル４は、そのフリッカーが最小に維持されて高い表示品位を維持する。
【００２５】
このように、このコモン電圧出力回路１によれば、コモン信号ＶCOM3の中心電圧を調整するための直流電圧調整回路を配設することなく、バッファ回路１１のトランジスタ２１，２２における無信号時のベース電圧（直流電圧Ｖａ）と、出力回路１２のトランジスタ３１，３２における無信号時の出力電圧（直流電圧Ｖｂ）とを液晶表示パネル４に固有なコモンセンター電圧と等しく規定できるうえ、トランジスタ２１，２２が共に等しい電流条件（動作条件）で作動し、かつトランジスタ３１，３２も共に等しい電流条件（動作条件）で作動する。したがって、電流増幅されたコモン信号ＶCOM3は、図３に示すように、その立ち上がり時間ｔｒ２が従来のコモン電圧出力回路４１における立ち上がり時間ｔｒ１と比較して短時間で、かつ立ち下がり時間ｔｆ２と等しい時間となる。つまり、コモン電圧出力回路１は、入力した入力したコモン信号ＶCOM2を最小歪みで電流増幅して上下ほぼ対称でバランスの良い電圧波形のコモン信号ＶCOM3を生成する。この結果、コモン電圧出力回路１によれば、トランジスタ３１，３２の熱暴走や破壊を招くことなく、液晶表示パネル４の仕様に合致するコモン信号ＶCOM3を安定的に供給することができる。また、コモン信号ＶCOM3が短い時間で立ち上がるため、液晶表示パネル４の表示画面左端において各ライン毎の表示輝度を均一化することができる結果、液晶表示パネル４の表示品位を向上させることができる。
【００２６】
なお、本発明は、上記した各発明の実施の形態に限定されない。例えば、現実的には、液晶表示パネルのフリッカーが最小になるコモンセンター電圧は液晶表示パネル４毎に微妙に異なる。このため、従来のコモン電圧出力回路４１と同様にして、抵抗２４，２５による固定バイアスに代えて、抵抗２４，２５および可変抵抗２８から構成される直流電圧調整回路２９を設けることもできる。この場合、図１に破線で示すように、抵抗２４、可変抵抗２８および抵抗２５の直列回路を正電源ＶDD、負電源ＶEE間に接続し、可変抵抗器２８の可動接点をトランジスタ２１，２２のベースに接続する。この構成によれば、可変抵抗器２８を調整することで、各液晶表示パネル４のフリッカーを最小に抑えることができる。また、従来のコモン電圧出力回路４１とは異なり、出力回路１２自体の直流電圧Ｖｂを直流電圧調整回路２９によって強引に所望電圧まで引上げることなく微調整でＶｂ＝Ｖｃとすることができる。また、バッファ回路１１および出力回路１２自体がコモンセンター電圧の電圧値Ｖｃとほぼ等しい電圧の直流バイアス条件下で動作することになるため、直流電圧調整回路２９の設計が容易になると共に、コモン電圧出力回路１全体として安定的に作動させることができる。
【００２７】
また、本発明の実施の形態では、ｐｎｐ型のトランジスタ２１とｎｐｎ型のトランジスタ２２とを使用してバッファ回路１１を構成し、かつｎｐｎ型のトランジスタ３１とｐｎｐ型のトランジスタ３２を使用して出力回路１２を構成した例について説明したが、２つのｎｐｎ型のトランジスタ（つまり、同じ接合形式のトランジスタ）でバッファ回路１１を構成することができるし、２つのｎｐｎ型のトランジスタ（つまり、同じ接合形式のトランジスタ）で出力回路１２を構成することもできるなど、バッファ回路１１および出力回路１２の各構成を適宜変更することができる。ただし、ｎｐｎ型の２つのトランジスタを用いてバッファ回路１１や出力回路１２を構成するのと比較して、コンプリメンタリ形式で構成することにより、コモン信号ＶCOM2の位相を反転させる位相反転回路を不要にできるため、バッファ回路１１および出力回路１２の回路を簡易に構成することができると共にそのコストを低減することができる。さらに、コモン電圧出力回路１では、正電源ＶDD、負電源ＶEEとしてそれぞれ７Ｖおよび−１５Ｖを用いた例について説明したがこれに限定されず、液晶表示パネル４の仕様や各種事情に応じて適宜変更することができるのは勿論である。加えて、本発明における電流増幅回路は、液晶表示装置Ｓ１への適用のみでなく、各種電子機器に適用することができる。
【００２８】
【発明の効果】
以上のように、本発明の電流増幅回路および液晶表示装置によれば、無信号時におけるＳＥＰＰ回路の出力電圧を直流正電圧と直流負電圧との中心電圧以外の所定電圧に予め設定したことにより、ＳＥＰＰ回路を安定的に作動させることができると共に、さらに、ＳＥＰＰ回路がＣ級動作条件で作動することにより、極めて高効率でしかも波形歪みの少ない直流増幅回路を実現することができる。また、一般的に正電圧である液晶表示パネルのコモンセンター電圧に対応させてＳＥＰＰ回路の動作条件を最適に設定することができるため、上記電流増幅回路を用いることにより、極めて高い表示品位を有する液晶表示装置を実現することができる。
【図面の簡単な説明】
【図１】本発明の実施の形態に係るコモン電圧出力回路１の構成を示す回路図である。
【図２】コモン電圧出力回路１の動作を説明するためのコモン信号ＶCOM3の電圧波形図である。
【図３】コモン信号ＶCOM3の電圧波形の詳細を示す電圧波形図である。
【図４】液晶表示装置Ｓ１，Ｓ１１の全体構成を示す構成図である。
【図５】従来のコモン電圧出力回路４１の構成を示す回路図である。
【図６】従来のコモン電圧出力回路４１の動作を説明するためのコモン信号ＶCOM3の電圧波形図である。
【図７】従来のコモン電圧出力回路４１によって生成されるコモン信号ＶCOM3の電圧波形の詳細を示す電圧波形図である。
【図８】従来の他のコモン電圧出力回路６１の構成を示す回路図である。
【符号の説明】
１  コモン電圧出力回路
２  Ｈ反転信号生成回路
３  コモン電圧増幅回路
４  液晶表示パネル
１１  バッファ回路
１２  出力回路
２６，２７  抵抗
Ｓ１  液晶表示装置
ＶCOM2，ＶCOM3  コモン信号
【図１】
0004039054.tif 000002
【図２】
0004039054.tif 000003
【図３】
0004039054.tif 000004
【図４】
0004039054.tif 000005
【図５】
0004039054.tif 000006
【図６】
0004039054.tif 000007
【図７】
0004039054.tif 000008
【図８】
0004039054.tif 000009